【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
コンピューターを、
ＲＳＳ素の作成元となる元データに対して、ＲＳＳ素を構成する項目を設定する手段と、
あらゆるアプリケーションソフトで作成された元データのデータ情報から、前記の項目に該当する情報を抽出する手段と、
前記の情報を抽出できない場合には、手動で入力された情報を受け付ける手段と、
抽出した情報または手動で入力された情報をもとにＲＳＳ素を作成する手段と、
ＲＳＳ素に識別子を付加し、前記識別子と同一の識別子を元データに付加する識別子付加手段と
して機能させるためのＲＳＳ素作成プログラム。
【請求項２】
コンピューターを、
ＲＳＳ素の作成元となる元データに対して、ＲＳＳ素を構成する項目を設定する手段と、
あらゆるアプリケーションソフトで作成された元データのデータ情報から、前記の項目に該当する情報を抽出する手段と、
前記の情報を抽出できない場合には、手動で入力された情報を受け付ける手段と、
抽出した情報または手動で入力された情報をもとにＲＳＳ素を作成する手段と、
ＲＳＳ素に識別子を付加し、前記識別子と同一の識別子を元データに付加する識別子付加手段と
して機能させ、
前記の識別子付加手段は、
元データから識別子の取得を試みるステップと、
元データから識別子を取得できた場合には、取得した識別子と同一の識別子をＲＳＳ素に付加し、
元データから識別子を取得できない場合には、ＲＳＳ素と元データとに同一の識別子を付加するステップ
からなる
ことを特徴とするＲＳＳ素作成プログラム。
【請求項３】
コンピューターを、
ＲＳＳ素の作成元となる元データに対して、ＲＳＳ素を構成する項目を設定する手段と、
あらゆるアプリケーションソフトで作成された元データのデータ情報から、前記の項目に該当する情報を抽出する手段と、
前記の情報を抽出できない場合には、手動で入力された情報を受け付ける手段と、
抽出した情報または手動で入力された情報をもとにＲＳＳ素を作成する手段と、
ＲＳＳ素に識別子を付加し、前記識別子と同一の識別子を元データに付加する識別子付加手段と
して機能させ、
前記の識別子付加手段は、
元データから識別子の取得を試みるステップと、
元データから識別子を取得できた場合には、新たに別の識別子をＲＳＳ素と元データとに付加し、
元データから識別子を取得できない場合には、ＲＳＳ素と元データとに同一の識別子を付加するステップ
からなる
ことを特徴とするＲＳＳ素作成プログラム。
【請求項４】
前記の識別子は、
ＧＵＩＤ（Ｇｌｏｂａｌ  Ｕｎｉｑｕｅ  Ｉｄｅｎｔｉｆｉｅｒ）である
ことを特徴とする請求項１から請求項３のいずれか一項に記載のＲＳＳ素作成プログラム。
【請求項５】
前記のＲＳＳ素作成プログラムは、
ＲＳＳ素と元データとに時刻認証情報を付加する時刻認証情報付加手段
を含む
ことを特徴とする請求項１から請求項４のいずれか一項に記載のＲＳＳ素作成プログラム。
【請求項６】
前記のＲＳＳ素作成プログラムは、
ＲＳＳ素を送信する送信先を任意に設定し、所望の送信先を選択する送信先選択手段
を含む
ことを特徴とする請求項１から請求項５のいずれか一項に記載のＲＳＳ素作成プログラム。
【請求項７】
前記のＲＳＳ素作成プログラムは、
ＲＳＳ素を保存する保存先を任意に設定し、所望の保存先を選択する保存先選択手段
を含む
ことを特徴とする請求項１から請求項６のいずれか一項に記載のＲＳＳ素作成プログラム。
【請求項８】
前記のＲＳＳ素作成プログラムは、
文書作成ソフト、表計算ソフト、グラフィックソフトなどの各種アプリケーションソフトにアドインでき、
各種アプリケーションソフト上でＲＳＳ素を作成する
ことを特徴とする請求項１から請求項７のいずれか一項に記載のＲＳＳ素作成プログラム。
【請求項９】
クライアント端末と、少なくとも１以上の送信先端末と、によって構成されるネットワーク上で、ＲＳＳ素を用いて端末間のデータの管理、配信を行うＲＳＳ素作成プログラムを用いたＲＳＳ素による情報管理配信システムであって、
クライアント端末によって、元データからＲＳＳ素を作成するＲＳＳ素作成手段と、
作成されたＲＳＳ素を、クライアント端末を含むネットワーク上の所望の端末に保存するＲＳＳ素保存手段と、
クライアント端末によって、ＲＳＳ素作成プログラムで送信先として選択された送信先端末に、作成されたＲＳＳ素のヘッダ情報を通知するＲＳＳ素通知手段と、
送信先端末に、前記のヘッダ情報が通知されたＲＳＳ素を表示させるＲＳＳ素表示手段と、
送信先端末からの要求に応じて、前記のＲＳＳ素の作成元である元データを配信する元データ配信手段と、
を備えた
ことを特徴とする請求項１から請求項８のいずれか一項に記載のＲＳＳ素作成プログラムを用いたＲＳＳ素による情報管理配信システム。
【請求項１０】
クライアント端末と、少なくとも１以上の送信先端末と、ＲＳＳ素管理サーバと、によって構成されるネットワーク上で、ＲＳＳ素を用いて端末間のデータの管理、配信を行うＲＳＳ素作成プログラムを用いたＲＳＳ素による情報管理配信システムであって、
ＲＳＳ素管理サーバは、ＲＳＳ素管理部とＲＳＳ素データベース部と元データデータベース部とから構成され、
クライアント端末によって、元データからＲＳＳ素を作成するＲＳＳ素作成手段と、
作成されたＲＳＳ素を、ＲＳＳ素データベース部に保存するＲＳＳ素保存手段と、
元データを、元データデータベース部に保存する元データ保存手段と、
ＲＳＳ素管理部によって、ＲＳＳ素作成プログラムで送信先として選択された送信先端末に、作成されたＲＳＳ素のヘッダ情報を通知するＲＳＳ素通知手段と、
送信先端末に、前記のヘッダ情報が通知されたＲＳＳ素を表示するＲＳＳ素表示手段と、
送信先端末からの要求に応じて、前記のＲＳＳ素の作成元である元データを配信する元データ配信手段と、
を備えた
ことを特徴とする請求項１から請求項９のいずれか一項に記載のＲＳＳ素作成プログラムを用いたＲＳＳ素による情報管理配信システム。
【請求項１１】
前記のＲＳＳ素保存手段によってＲＳＳ素が保存された端末は、
保存されたＲＳＳ素を、ＲＳＳ素間で関連付けて構造化処理する構造化処理手段と、
送信先端末からの要求に応じて、前記の構造化処理されたＲＳＳ素を送信先端末に表示する構造化表示手段と、
を備える
ことを特徴とする請求項１から請求項１０のいずれか一項に記載のＲＳＳ素作成プログラムを用いたＲＳＳ素による情報管理配信システム。
【手続補正２】
【補正対象書類名】明細書
【補正対象項目名】００１４
【補正方法】変更
【補正の内容】
【００１４】
本発明は、
コンピューターを、
ＲＳＳ素の作成元となる元データに対して、ＲＳＳ素を構成する項目を設定する手段と、
あらゆるアプリケーションソフトで作成された元データのデータ情報から、前記の項目に該当する情報を抽出する手段と、
前記の情報を抽出できない場合には、手動で入力された情報を受け付ける手段と、
抽出した情報または手動で入力された情報をもとにＲＳＳ素を作成する手段と
して機能させるためのＲＳＳ素作成プログラムである。
【手続補正３】
【補正対象書類名】明細書
【補正対象項目名】００３１
【補正方法】変更
【補正の内容】
【００３１】
本発明は、
前記のＲＳＳ素作成プログラムは、
ＲＳＳ素に識別子を付加し、前記識別子と同一の識別子を元データに付加する識別子付加手段
を含む
ことを特徴とするＲＳＳ素作成プログラムである。
【手続補正４】
【補正対象書類名】明細書
【補正対象項目名】００４０
【補正方法】変更
【補正の内容】
【００４０】
本発明は、
前記の識別子付加手段は、
元データから識別子の取得を試みるステップと、
元データから識別子を取得できた場合には、取得した識別子と同一の識別子をＲＳＳ素に付加するステップと、
元データから識別子を取得できない場合には、ＲＳＳ素と元データとに同一の識別子を付加するステップと
からなる
ことを特徴とするＲＳＳ素作成プログラムである。
【手続補正５】
【補正対象書類名】明細書
【補正対象項目名】００４３
【補正方法】変更
【補正の内容】
【００４３】
本発明は、
前記の識別子付加手段は、
既存の識別子にかかわらず、新たに同一の識別子をＲＳＳ素と元データとに付加するステップ
を含む
ことを特徴とするＲＳＳ素作成プログラムである。
【手続補正６】
【補正対象書類名】明細書
【補正対象項目名】００４７
【補正方法】変更
【補正の内容】
【００４７】
本発明は、
前記の識別子は、
ＧＵＩＤ（Ｇｌｏｂａｌ  Ｕｎｉｑｕｅ  Ｉｄｅｎｔｉｆｉｅｒ）である
ことを特徴とするＲＳＳ素作成プログラムである。
【手続補正７】
【補正対象書類名】明細書
【補正対象項目名】００４９
【補正方法】変更
【補正の内容】
【００４９】
本発明は、
前記のＲＳＳ素作成プログラムは、
ＲＳＳ素と元データとに時刻認証情報を付加する時刻認証情報付加手段
を含む
ことを特徴とするＲＳＳ素作成プログラムである。
【手続補正８】
【補正対象書類名】明細書
【補正対象項目名】００５２
【補正方法】変更
【補正の内容】
【００５２】
本発明は、
前記のＲＳＳ素作成プログラムは、
ＲＳＳ素を送信する送信先を任意に設定し、所望の送信先を選択する送信先選択手段
を含む
ことを特徴とするＲＳＳ素作成プログラムである。
【手続補正９】
【補正対象書類名】明細書
【補正対象項目名】００６１
【補正方法】変更
【補正の内容】
【００６１】
本発明は、
前記のＲＳＳ素作成プログラムは、
ＲＳＳ素を保存する保存先を任意に設定し、所望の保存先を選択する保存先選択手段
を含む
ことを特徴とするＲＳＳ素作成プログラムである。
【手続補正１０】
【補正対象書類名】明細書
【補正対象項目名】００６５
【補正方法】変更
【補正の内容】
【００６５】
本発明は、
前記のＲＳＳ素作成プログラムは、
文書作成ソフト、表計算ソフト、グラフィックソフトなどの各種アプリケーションソフトにアドインでき、
各種アプリケーションソフト上でＲＳＳ素を作成する
ことを特徴とするＲＳＳ素作成プログラムである。
【手続補正１１】
【補正対象書類名】明細書
【補正対象項目名】００６７
【補正方法】変更
【補正の内容】
【００６７】
本発明は、
クライアント端末と、少なくとも１以上の送信先端末と、によって構成されるネットワーク上で、ＲＳＳ素を用いて端末間のデータの管理、配信を行うＲＳＳ素作成プログラムを用いたＲＳＳ素による情報管理配信システムであって、
クライアント端末によって、元データからＲＳＳ素を作成するＲＳＳ素作成手段と、
作成されたＲＳＳ素を、クライアント端末を含むネットワーク上の所望の端末に保存するＲＳＳ素保存手段と、
クライアント端末によって、ＲＳＳ素作成プログラムで送信先として選択された送信先端末に、作成されたＲＳＳ素のヘッダ情報を通知するＲＳＳ素通知手段と、
送信先端末に、前記のヘッダ情報が通知されたＲＳＳ素を表示させるＲＳＳ素表示手段と、
送信先端末からの要求に応じて、前記のＲＳＳ素の作成元である元データを配信する元データ配信手段と、
を備えた
ことを特徴とするＲＳＳ素作成プログラムを用いたＲＳＳ素による情報管理配信システムである。
【手続補正１２】
【補正対象書類名】明細書
【補正対象項目名】００７３
【補正方法】変更
【補正の内容】
【００７３】
本発明は、
クライアント端末と、少なくとも１以上の送信先端末と、ＲＳＳ素管理サーバと、によって構成されるネットワーク上で、ＲＳＳ素を用いて端末間のデータの管理、配信を行うＲＳＳ素作成プログラムを用いたＲＳＳ素による情報管理配信システムであって、
ＲＳＳ素管理サーバは、ＲＳＳ素管理部とＲＳＳ素データベース部と元データデータベース部とから構成され、
クライアント端末によって、元データからＲＳＳ素を作成するＲＳＳ素作成手段と、
作成されたＲＳＳ素を、ＲＳＳ素データベース部に保存するＲＳＳ素保存手段と、
元データを、元データデータベース部に保存する元データ保存手段と、
ＲＳＳ素管理部によって、ＲＳＳ素作成プログラムで送信先として選択された送信先端末に、作成されたＲＳＳ素のヘッダ情報を通知するＲＳＳ素通知手段と、
送信先端末に、前記のヘッダ情報が通知されたＲＳＳ素を表示するＲＳＳ素表示手段と、
送信先端末からの要求に応じて、前記のＲＳＳ素の作成元である元データを配信する元データ配信手段と、
を備えた
ことを特徴とするＲＳＳ素作成プログラムを用いたＲＳＳ素による情報管理配信システムである。
【手続補正１３】
【補正対象書類名】明細書
【補正対象項目名】００８０
【補正方法】変更
【補正の内容】
【００８０】
本発明は、
前記のＲＳＳ素保存手段によってＲＳＳ素が保存された端末は、
保存されたＲＳＳ素を、ＲＳＳ素間で関連付けて構造化処理する構造化処理手段と、
送信先端末からの要求に応じて、前記の構造化処理されたＲＳＳ素を送信先端末に表示する構造化表示手段と、
を備える
ことを特徴とするＲＳＳ素作成プログラムを用いたＲＳＳ素による情報管理配信システムである。